(57)【特許請求の範囲】
【請求項１】
ハウジングには、第１回転支持部材と、第２回転支持部材と、斜面とが設置され、
前記第２回転支持部材は、前記ハウジングに自転可能、かつ、水平方向移動可能に設置され、
前記第１回転支持部材の位置は、前記第２回転支持部材の位置よりも高く設置され、前記第２回転支持部材の位置は、前記斜面の位置よりも低く設置され、
前記第１回転支持部材と前記第２回転支持部材と前記斜面との水平方向の位置関係は、ロール用紙の出口側から前記第１回転支持部材、前記第２回転支持部材、前記斜面の順に設置され、
前記ハウジングに前記ロール用紙が巻き弛みなく保持されているときは、前記ロール用紙の巻回部分は、前記第１回転支持部材と前記第２回転支持部材とによって支持され、前記第１回転支持部材と前記第２回転支持部材とは、それぞれ一方向に回転し、
前記ロール用紙の巻回部分が、振動又は衝撃によって変位したときは、前記斜面に乗り上げ、続いて、前記斜面を滑動し、前記第２回転支持部材を押すことによって他方向に回転させるとともに水平方向に移動させ、前記ロール用紙の巻回部分は、前記ロール用紙の巻き弛みを解消する方向に回転することを特徴とするロール用紙の巻き弛み防止機構。
【請求項２】
前記第１回転支持部材はローラであることを特徴とする請求項１記載のロール用紙の巻き弛み防止機構。
【請求項３】
前記第２回転支持部材は円柱軸であることを特徴とする請求項１記載のロール用紙の巻き弛み防止機構。
【請求項４】
前記第２回転支持部材は前記ハウジング又は別個の部材に形成されている略長方形状の孔内で自転可能、かつ、水平方向移動可能に設置されていることを特徴とする請求項１記載のロール用紙の巻き弛み防止機構。
【請求項５】
前記斜面は前記ハウジング又は別個の部材に形成されていることを特徴とする請求項１記載のロール用紙の巻き弛み防止機構。
【請求項６】
請求項１記載のロール用紙の巻き弛み防止機構を有することを特徴とするプリンタ。
【発明の詳細な説明】
【技術分野】
【０００１】
本発明は、ロール用紙の巻き弛みを防止する機構に関し、プリンタにおいてジャム（紙詰り）が発生する電子キャッシュレジスタ等に採用される。
【背景技術】
【０００２】
従来の電子キャッシュレジスタにおけるロール用紙の巻き弛みを防止する機構について、本出願前に頒布された刊行物を引用して説明する（例えば、特許文献１参照。）。
【０００３】
電子キャッシュレジスタ１００は、図５に示すように、扁平な装置本体１０１の下部が前面の開口した中空構造に形成されており、ここに上面の開口したドロワボックス１０２が前後方向にスライド自在に装着されている。装置本体１０１の下部後方には、収納されたドロワボックス１０２を前方に弾発的に押圧するドロワスプリングと、このドロワスプリングの圧力に対向してドロワボックス１０２を係脱自在に保持するドロワロック１０３も内蔵されている（図示せず）。
【０００４】
装置本体１０１の上面前方には情報入力手段であるキーボード１０４が一体に設けられており、その後方にはディスプレイユニット１０５とプリンタユニット１０６とが並列に設けられている。ディスプレイユニット１０５には、後傾した前面にキャッシャディスプレイ１０７が設けられており、前傾した後面にカスタマディスプレイ１０８が設けられている。プリンタユニット１０６は、後部にＲ／Ｊ（Receipt／Journal）プリンタ１０９が内蔵されており、前部に画像印刷装置であるチケットプリンタ１２０が内蔵されている。
【０００５】
さらに、電子キャッシュレジスタ１００は、図６に示すように、商品登録手段に相当するマイクロプロセッサ１１１と情報記憶手段であるメモリユニット１１２も具備しており、これらがバスライン１１３により、ドロワロック１０３、キーボード１０４、キャッシャディスプレイ１０７、カスタマディスプレイ１０８、Ｒ／Ｊプリンタ１０９、チケットプリンタ１２０、Ｉ／Ｆユニット１１４、に接続されている。
【０００６】
メモリユニット１１２は、少なくとも商品コードと販売価格とを各々具備する商品情報が多数の販売商品ごとに事前に格納されており、マイクロプロセッサ１１１は、キーボード１０４などから入力操作される商品コードでメモリユニット１１２から商品情報を読み出して登録処理を実行する。
【０００７】
チケットプリンタ１２０は、図４に示すように、用紙搬送機構１２１、画像印刷機構１２２、媒体保持装置１３０、を具備しており、この媒体保持装置１３０には、ロール状に巻回された細長いシート媒体である連続用紙Ｐの巻回部分Ｒが回転自在に保持されている。
【０００８】
用紙搬送機構１２１は、駆動モータやフィードローラなどからなり、媒体保持装置１３０から連続用紙Ｐを順次引き出して搬送する。画像印刷機構１２２は、プリンタヘッドやドライバ回路などからなり、順次搬送される連続用紙Ｐに所定画像を印刷する。
【０００９】
媒体保持装置１３０は、傾斜ガイド１３１、保持ローラ１３２、軸支機構である軸部１３３、を具備しており、連続用紙Ｐの巻回部分Ｒを傾斜ガイド１３１と保持ローラ１３２とで回転自在に保持する。傾斜ガイド１３１は、下部後方に配置されており、前傾した上面で連続用紙Ｐの巻回部分Ｒの下部後方を保持する。保持ローラ１３２は、下部前方に配置されており、連続用紙Ｐの巻回部分Ｒの下部前方を保持する。
【００１０】
この保持ローラ１３２は軸部１３３により回転自在に支持されているが、保持ローラ１３２の軸孔より軸部１３３が充分に小径であるため、保持ローラ１３２は偏心自在に軸支されている。また、保持ローラ１３２は、例えば、金属円筒の外周面をゴムで被覆した構造などに形成されており、金属製の傾斜ガイド１３１に比較して連続用紙Ｐとの摩擦抵抗が充分に増大している。
【００１１】
そして、媒体保持装置１３０では、図３に示すように、連続用紙Ｐの巻回部分Ｒの軸心と軸部１３３の軸心とを連通する平面と水平な平面との内角θ１と、傾斜ガイド１３１の上面と水平な平面との内角θ２とが、θ１＞θ２を満足している。
【００１２】
上述のような構成において、電子キャッシュレジスタ１００は、顧客の商品購入を登録処理することができる。その場合、店員がキーボード１０４などで商品コードを入力操作すると、その商品コードでマイクロプロセッサ１１１がメモリユニット１１２から商品情報を読み出して登録処理を実行する。
【００１３】
このとき、マイクロプロセッサ１１１は、ドロワロック１０３によるドロワボックス１０２の保持を解除させるので、現金が収納されているドロワボックス１０２がスライドして装置本体１０１から前方に突出する。このため、店員は必要により顧客から受け取った現金をドロワボックス１０２に収納することができ、ドロワボックス１０２から取り出した現金をお釣りとして顧客に手渡すこともできる。なお、このような作業を完了した店員は、突出したドロワボックス１０２を手動で装置本体１０１に収納するので、この装置本体１０１に収納された状態でドロワボックス１０２はドロワロック１０３に保持される。
【００１４】
さらに、電子キャッシュレジスタ１００は、商品としてチケットＣを発行して販売することもできるので、その場合は、店員によるキーボード１０４の所定操作に対応してマイクロプロセッサ１１１がチケットプリンタ１２０を動作させる。
【００１５】
このとき、このチケットプリンタ１２０は、媒体保持装置１３０から連続用紙Ｐを用紙搬送機構１２１で順次引き出して搬送し、この順次搬送される連続用紙Ｐに画像印刷機構１２２で所定画像を印刷するので、これでチケットＣが発行される。
【００１６】
ただし、前述のようにドロワボックス１０２を前後方向に移動させると、その衝撃が装置本体１０１からチケットプリンタ１２０の媒体保持装置１３０まで作用し、図３（Ｂ）に示すように、連続用紙Ｐの巻回部分Ｒが保持ローラ１３２から遊離することがある。
【００１７】
このような場合、連続用紙Ｐに弛みが発生してジャムの原因となるが、媒体保持装置１３０では、保持ローラ１３２から遊離した連続用紙Ｐの巻回部分Ｒが落下することで、自動的に巻回部分Ｒが巻回方向に回動して弛みが解消される。
【００１８】
より詳細には、前述のように外部からの衝撃により保持ローラ１３２から遊離した連続用紙Ｐの巻回部分Ｒは、同図（Ｃ）に示すように、傾斜ガイド１３１の上面を転落して保持ローラ１３２に衝突するので、この保持ローラ１３２を内角θ２の方向に押圧することになる。
【００１９】
しかし、この方向は連続用紙Ｐの巻回部分Ｒが自重により保持ローラ１３２を押圧する方向とは相違するので、同図（Ｄ）に示すように、この保持ローラ１３２は内角θ２の方向から内角θ１の方向まで前転方向に回動してから安定することになる。
【００２０】
すると、この保持ローラ１３２と連続用紙Ｐとの摩擦抵抗が連続用紙Ｐと傾斜ガイド１３１との摩擦抵抗より充分に大きいので、連続用紙Ｐの巻回部分Ｒは保持ローラ１３２の回動により傾斜ガイド１３１の上面を滑動して後転方向に回動する。この後転方向は巻回部分Ｒの巻回方向であるため、連続用紙Ｐは衝撃により発生した弛みが解消されることになる。
【００２１】
このため、電子キャッシュレジスタ１００は、ドロワボックス１０２を移動させても媒体保持装置１３０に保持された連続用紙Ｐに弛みが発生しないので、チケットプリンタ１２０により良好にチケットＣを発行することができる。
【００２２】
【特許文献１】特開２００３−５４７９０号公報
【発明の開示】
【発明が解決しようとする課題】
【００２３】
前記従来の技術であるロール用紙の巻き弛み防止機構では、保持ローラ１３２が軸支機構である軸部１３３に相当程度の隙間をもってはまっている。したがって、シート媒体Ｐの巻回部分Ｒの直径が大きい場合には、保持ローラ１３２は前転方向（図３（Ｄ）における左回転方向）に回転するが、巻回部分Ｒの直径が小さい場合には、保持ローラ１３２は前転方向に回転し難い。したがって、ロール用紙の巻き弛みは、十分には解消されない。
【００２４】
そこで、本発明は、前記従来の技術の欠点を改良し、ロール用紙の巻回部分が振動又は衝撃によって変位したとき、巻回部分の直径の大小にかかわらず、ロール用紙の巻き弛みを解消することができるロール用紙の巻き弛み防止機構を提供しようとするものである。
【課題を解決するための手段】
【００２５】
本発明は、前記課題を解決するため、次の手段を採用する。
【００２６】
１．ハウジング（２）には、第１回転支持部材（３）と、第２回転支持部材（４）と、斜面（２ｂ）とが設置され、前記第２回転支持部材は、前記ハウジングに自転可能、かつ、水平方向移動可能に設置され、前記第１回転支持部材の位置は、前記第２回転支持部材の位置よりも高く設置され、前記第２回転支持部材の位置は、前記斜面の位置よりも低く設置され、前記第１回転支持部材と前記第２回転支持部材と前記斜面との水平方向の位置関係は、ロール用紙（１１）の出口（９）側から前記第１回転支持部材、前記第２回転支持部材、前記斜面の順に設置され、前記ハウジングに前記ロール用紙が巻き弛みなく保持されているときは、前記ロール用紙の巻回部分（１１ａ）は、前記第１回転支持部材と前記第２回転支持部材とによって支持され、前記第１回転支持部材と前記第２回転支持部材とは、それぞれ一方向に回転し、前記ロール用紙の巻回部分が、振動又は衝撃によって変位したときは、前記斜面に乗り上げ、続いて、前記斜面を滑動し、前記第２回転支持部材を押すことによって他方向に回転させるとともに水平方向に移動させ、前記ロール用紙の巻回部分は、前記ロール用紙の巻き弛みを解消する方向に回転することを特徴とするロール用紙の巻き弛み防止機構。
【００２７】
２．前記第１回転支持部材はローラであることを特徴とする前記１記載のロール用紙の巻き弛み防止機構。
【００２８】
３．前記第２回転支持部材は円柱軸であることを特徴とする前記１記載のロール用紙の巻き弛み防止機構。
【００２９】
４．前記第２回転支持部材は前記ハウジング又は別個の部材に形成されている略長方形状の孔（２ａ）内で自転可能、かつ、水平方向移動可能に設置されていることを特徴とする前記１記載のロール用紙の巻き弛み防止機構。
【００３０】
５．前記斜面は前記ハウジング又は別個の部材に形成されていることを特徴とする前記１記載のロール用紙の巻き弛み防止機構。
【００３１】
６．前記１記載のロール用紙の巻き弛み防止機構を有することを特徴とするプリンタ。
【発明の効果】
【００３２】
明細書の説明から明らかなように、本発明は、次の効果を奏する。
【００３３】
１．第２回転支持部材は、ハウジングに自転可能、かつ、水平方向移動可能に設置されているから、ロール用紙の巻回部分が振動又は衝撃によって変位したとき、巻回部分はその直径の大小にかかわらずスムーズに回転移動できるので、ロール用紙の巻き弛みは解消される。
【００３４】
２．第１回転支持部材は、ローラであるので、ロール用紙の巻回部分は摩擦抵抗が少なく回転することができ、また、構造が簡素である。
【００３５】
３．第２回転支持部材は、円柱軸であるので、ロール用紙の巻回部分は摩擦抵抗が少なく回転移動することができ、また、構造が簡素である。
【００３６】
４．第２回転支持部材は、ハウジング又は別個の部材に形成されている略長方形状の孔内に設置されているので、設置構造が簡素である。
【００３７】
５．斜面は、ハウジング又は別個の部材に形成されているので、ロール用紙の巻回部分の支持構造が簡素である。
【００３８】
６．本発明のロール用紙の巻き弛み防止機構を有するプリンタは、ロール用紙の巻回部分の直径の大小にかかわらず、ジャムが発生しない。
【発明を実施するための最良の形態】
【００３９】
本発明の一実施例のチケットプリンタにおけるロール用紙の巻き弛み防止機構について説明する。
【実施例１】
【００４０】
本発明の実施例１について図１と図２を参照して説明する。
【００４１】
図１は、チケットプリンタ１に保持されているチケットロール用紙１１に巻き弛みが発生していない正常状態の断面図である。図２は、チケットロール用紙１１に生じている巻き弛みを自動的に解消する途中の状態の断面図である。
【００４２】
図１において、チケットプリンタ１のハウジング２には、ローラ３と移動軸４が設置され、チケットロール用紙１１はローラ３と移動軸４との上に載置されている。ローラ３の位置は、移動軸４の位置よりも高い。移動軸４は、ハウジング２の前後両側に形成されている略長方形状の孔２ａ内に自転可能に、かつ、水平方向移動可能に保持されている。チケットロール用紙１１の巻回部分１１ａがローラ３と移動軸４とにそれぞれ接触する両箇所の水平方向の距離をＬ１とする。移動軸４は、チケットロール用紙１１の巻回部分１１ａの中心（すなわち、重心）から水平方向にも垂直方向にもオフセットされている。水平方向のオフセット距離をＰ１とする。
【００４３】
ハウジング２には、搬送部５とプラテン６とヘッド７も設置され、また、ハウジング２の上部には、カバー８が開閉可能に設置されている。
【００４４】
チケットロール用紙１１は、搬送部５によって矢印ａ方向に搬送され、プラテン６とヘッド７の間を通過するときに印刷されて、用紙出口９から先端１１ｂが繰り出される。このとき、巻回部分１１ａは矢印ｃ１方向に回転し、移動軸４は矢印ｂ１方向に回転する。
【００４５】
図２は、図１の正常状態において、チケットロール用紙１１の巻回部分１１ａが、振動又は衝撃によって一旦右方向に変位した後に、正常状態に向かって復帰する途中の状態を示す。チケットロール用紙１１の巻回部分１１ａは、移動軸４とハウジング２の斜面２ｂとの上に載置されている。移動軸４の位置は、チケットロール用紙１１の巻回部分１１ａが接触するハウジング２の斜面２ｂの位置よりも低い。
【００４６】
チケットロール用紙１１の巻回部分１１ａは、振動又は衝撃によって右方向へ変位し、ハウジング２の斜面２ｂに乗り上げ、巻き弛みを発生する。続いて、チケットロール用紙１１の巻回部分１１ａは、斜面２ｂを自重によって左下方向へ滑動する。移動軸４とチケットロール用紙１１との摩擦抵抗は、チケットロール用紙１１と斜面２ｂとの摩擦抵抗よりも大きい。したがって、移動軸４は、チケットロール用紙１１の巻回部分１１ａによって押され、図１の位置（孔２ａの右端）から図２の位置（孔２ａの左端）まで孔２ａ内を矢印ｂ２方向に回転しながら移動する。このとき、移動軸４と摩擦接触するチケットロール用紙１１の巻回部分１１ａは、矢印ｃ２方向に回転するので、巻き弛みを自動的に解消される。なお、移動軸４が孔２ａの左端に当接しても、巻回部分１１ａは矢印ｃ２方向への回転を暫時続行する。
【００４７】
このようにして、チケットプリンタ１においては、チケットロール用紙１１の巻き弛みが解消され、巻き弛みによるジャムは防止される。
【００４８】
なお、図２における孔２ａの左端に接触する移動軸４の中心からチケットロール用紙１１の巻回部分１１ａの中心までの水平方向のオフセット距離をＰ２とする。
【００４９】
チケットロール用紙１１の巻き弛みが解消された後に、搬送部５がチケットロール用紙１１を搬送すると、チケットロール用紙１１の巻回部分１１ａは左回転する。すると、移動軸４は右回転しながら孔２ａの左端から右端まで移動し、巻回部分１１ａの外周面はローラ３に接触して、巻回部分１１ａは図１の状態に復帰する。
【００５０】
チケットロール用紙１１に多数回の印字と振動又は衝撃の負荷が行われると、チケットロール用紙１１の巻回部分１１ａは図１の位置と図２の位置とを往復する。オフセット距離をＰ２＞Ｐ１に設定すると、巻回部分１１ａは図２の位置に維持され易い。
【００５１】
本実施例１においては、ローラ３を球軸受又はニードル軸受等の回転支持部材に設計変更することができる。
【００５２】
また、移動軸４を単純な１本の円柱軸から回転支持部材に設計変更することができる。
【００５３】
続いて、略長方形状の孔２ａをハウジング２自体に形成する代りに、別個の部材に形成することができる。
【００５４】
更に、斜面２ｂをハウジング２自体に形成する代りに、別個の部材に形成することができる。
【００５５】
更に、本実施例１のプリンタの種類は、チケットプリンタであるが、本発明は、レシートプリンタやジャーナルプリンタのみならずロール用紙を使用する諸機器に適用可能である。
【図面の簡単な説明】
【００５６】
【図１】本発明の実施例１のチケットプリンタにおけるロール用紙の巻き弛み防止機構のロール用紙に巻き弛みが発生していない正常状態の断面図である。
【図２】同機構のロール用紙に巻き弛みが発生し、正常状態に向かって復帰する途中の状態の断面図である。
【図３】従来の電子キャッシュレジスタのチケットプリンタにおけるロール用紙の巻き弛み防止機構の動作の過程の側面図を（Ａ）〜（Ｄ）に順次示す。
【図４】同チケットプリンタの内部構造の側面図である。
【図５】同電子キャッシュプリンタの外観の斜視図である。
【図６】同電子キャッシュプリンタの回路構造のブロック図である。
【符号の説明】
【００５７】
１  チケットプリンタ
２  ハウジング
２ａ  孔
２ｂ  斜面
３  ローラ
４  移動軸
５  搬送部
６  プラテン
７  ヘッド
８  カバー
９  用紙出口
１１  チケットロール用紙
１１ａ  巻回部分
１１ｂ  先端
【図１】
0004352346.tif 000002
【図２】
0004352346.tif 000003
【図３】
0004352346.tif 000004
【図４】
0004352346.tif 000005
【図５】
0004352346.tif 000006
【図６】
0004352346.tif 000007